(57)【要約】【課題】  不正行為の発生に伴ってその後の遊技を不能とする機能を不正行為の発生時にのみ実行可能とするとともに、不正行為が発生したときには遊技不能状態への移行を確実に実行可能とし、かつ、遊技場の店員の作業工数の増加を回避でき、さらに、遊技機のコスト高を抑制する。【解決手段】  遊技の進行を制御する主制御基板２０と、この主制御基板２０を収容する基板ケース１１と、この基板ケース１１を開封不能に封止するかしめピン５０とを備えた遊技機１であって、かしめピン５０に、所定の配線６１ａ、６３ａ、６２が設けられ、主制御基板２０は、かしめピン５０の切断に伴って所定の配線６１ａ、６３ａ、６２が切断されると、その後の遊技を不能にする。【選択図】    図１０
2014217472.tif 000002
【特許請求の範囲】
【請求項１】
遊技の進行を制御する主制御基板と、この主制御基板を収容する基板ケースと、この基板ケースを開封不能に封止するかしめピンとを備えた遊技機であって、
前記かしめピンに、所定の配線が設けられ、
前記主制御基板は、前記かしめピンの切断に伴って前記所定の配線が切断されると、その後の遊技を不能にする
ことを特徴とする遊技機。
【請求項２】
所定の内容を報知する報知手段と、この報知手段による前記報知を制御する副制御基板と、を備え、
前記かしめピンに、前記主制御基板と前記副制御基板とを接続する検出用配線が設けられ、
前記かしめピンの切断に伴って前記検出用配線が切断されると、前記副制御基板は、前記かしめピンが切断されたために遊技が不能になったことを、前記報知手段に報知させる
ことを特徴とする請求項１記載の遊技機。
【請求項３】
前記主制御基板に電源を供給するための電源装置と、
この電源装置から前記主制御基板へ電源電力を送る電源用配線と、を備え、
前記電源用配線が、前記かしめピンに設けられ、
前記主制御基板は、前記かしめピンの切断に伴って前記電源用配線が切断されると、その後の遊技を不能にする
ことを特徴とする請求項１又は２記載の遊技機。
【請求項４】
遊技の進行を制御する主制御基板と、この主制御基板を収容する基板ケースと、この基板ケースを開封不能に封止するかしめピンとを備えた遊技機であって、
前記かしめピンに、所定の配線が設けられ、
前記主制御基板は、
遊技の進行を制御するためのプログラムを実行する中央演算処理装置と、
所定の電圧レベルを示す電圧を保持する電圧保持回路とを有し、
前記電圧保持回路は、前記かしめピンの切断に伴って前記所定の配線が切断されると、前記所定の電圧レベルを示す電圧を電圧信号として前記中央演算処理装置のリセット端子に入力させ、
前記中央演算処理装置は、前記リセット端子への前記電圧信号の入力が継続することで、前記遊技を不能にする
ことを特徴とする遊技機。
【請求項５】
所定の内容を報知する報知手段と、この報知手段による前記報知を制御する副制御基板と、を備え、
前記主制御基板は、前記かしめピンの切断に伴って前記所定の配線が切断されると、所定の電圧レベルを有する通電信号を出力する通電信号出力回路を有し、
前記副制御基板は、前記所定の電圧レベルを有する通電信号を前記通電信号出力回路から受信すると、前記かしめピンが切断されたために遊技が不能になったことを、前記報知手段に報知させる
ことを特徴とする請求項４記載の遊技機。
【請求項６】
所定の遊技状態の設定確率を変更するための設定キースイッチと、
この設定キースイッチと主制御基板との間を接続するキー信号配線と、を備え、
前記キー信号配線が、前記かしめピンに設けられ、
前記電圧保持回路は、前記かしめピンの切断に伴って前記キー信号配線が切断されると、前記所定の電圧レベルを示す電圧を前記電圧信号として前記中央演算処理装置のリセット端子に入力させ、
前記中央演算処理装置は、前記リセット端子への前記電圧信号の入力が継続することで、前記遊技を不能にする
ことを特徴とする請求項４又は５記載の遊技機。
【発明の詳細な説明】
【技術分野】
【０００１】
本発明は、所定の遊技を実行する遊技機に関し、特に、特定の不正行為が発生すると、この不正行為を検出可能とする遊技機に関する。
【背景技術】
【０００２】
スロットマシンやパチンコ機などの遊技機は、メダルや遊技球などの遊技媒体を投入後、所定の操作を行って遊技を進行させ、所定の遊技状態に入賞する等、一定の条件を満たすことで、当該遊技又はその後の遊技において所定数あるいは多数の遊技媒体を獲得できるようになっている。
ところで、この種の遊技機が設置された遊技場においては、不当な方法により、不正に遊技媒体を払い出させる不正行為が行われることがある。
この不正行為には、例えば、遊技機の前面側に位置する前扉を開扉し、所定の抽選確率の設定変更を行うための設定用操作部を不当に操作して、設定値を変更することにより、遊技媒体を不正に払い出させるという不正行為がある。
【０００３】
このような不正行為を放置しておくと、遊技媒体が不正に払い出されて、遊技場が損害を蒙る事態となる。そこで、このような不正行為が発生したときに、その後の遊技を不能とする技術が提案されている。
例えば、遊技機であるスロットマシンにおいて、周面に複数の図柄が描かれたリールと、前扉の中央に形成され、リールの図柄を視認可能に表示する表示窓と、リールの周面の一部を覆うように当該リールの周面の外方に配置され、当該リールの周面の周方向に移動可能に取り付けられた遮蔽部材と、前扉の開扉を検知する検知センサと、前扉の開扉が検知されると、リールと表示窓との間に遮蔽部材を介在させるように制御する主制御部とを備えたスロットマシンが提案されている（例えば、特許文献１参照。）。
この技術によれば、前扉の開扉が検知されると、主制御部が、リールと表示窓との間に遮蔽部材を介在させるので、表示窓からのリール図柄の視認が不能となり、その後の遊技が不能となることで、不正な遊技媒体の払い出しを阻止できる。
【先行技術文献】
【特許文献】
【０００４】
【特許文献１】特開２００７−０４４１９９号公報
【発明の概要】
【発明が解決しようとする課題】
【０００５】
しかしながら、上述した特許文献１に記載の技術（以下、文献技術という）においては、次のような問題があった。
この文献技術では、設定用操作部が不当に操作されるときには必ず前扉が開扉されることに着目し、このように前扉が開扉されたときには、不正行為が発生したものと判断して、リールと表示窓との間に遮蔽部材を介在させ、表示窓からのリール図柄の視認を遮蔽することにより、その後の遊技を不能としていた。
【０００６】
ところが、前扉の開扉は、そのように設定用操作部を操作する場合においてのみ行われるものではなく、例えば、遊技媒体を貯留するためのホッパーに遊技媒体を補給する場合など、遊技場の店員による正当な業務の範囲内において行われる場合もある。
そして、このように店員の正当業務の範囲内で前扉が開扉された場合でも、文献技術においては、当該前扉の開扉を検知したときに、遮蔽部材を動作させて、その後の遊技を不能としていた。つまり、文献技術は、不正行為が発生した場合だけでなく、不正行為が発生していない場合でも、遮蔽部材を動作させることがあった。
そうすると、リールと表示窓との間に遮蔽部材が介在している場合において、この介在状態を店員が視認したとき、それが不正行為に起因するものなのか、あるいは、当該店員又は他の店員の正当業務に起因するものなのかが特定できず、当該店員による不正行為の発生の有無の判断を困難なものとしていた。よって、このような不正行為の発生に関する判断の不明確さをなくし、不正行為が発生した場合にのみ遊技を不能とする技術の提案が求められていた。
【０００７】
また、文献技術では、リールと表示窓との間に遮蔽部材を介在させてその後の遊技を不能とした後、店員が、その遮蔽部材をリールの上方に手動で回動させることで、この遮蔽部材の介在状態を解除して、遊技不能状態を解除するという作業を必要としていた。
ところが、遮蔽部材がリールと表示窓との間に介在する動作は、前述したように前扉の開扉が検知されたときに実行されるものであり、前扉の開扉は、不正行為の発生時だけでなく、ホッパーへの遊技媒体の補給など、店員の通常業務においても行われる動作である。このため、店員は、不正行為が発生していない場合でも、通常業務の範囲内で前扉を開扉したときには、動作した遮蔽部材をリールの上方へ手動で回動させて介在状態を解除しなければならなかった。このように、文献技術は、店員の通常業務の作業工数を増やす結果となってしまうという問題があった。
【０００８】
さらに、文献技術では、遮蔽部材の介在状態を解除するのに、この遮蔽部材をリールの上方に手動で回動させることとしているが、この作業は、当該作業者が店員であるかどうかに関係なく、誰でも簡単にできる作業であった。そうすると、前扉の開扉が不正行為者によって行われた場合において、この不正行為者が、設定用操作部を操作後、遮蔽部材を手動でリールの上方に回動させることにより、その遮蔽部材の介在状態を解除させることも可能である。
このように、文献技術では、前扉を開扉した不正行為者により遮蔽部材の介在状態が簡単に解除されてしまい、その結果、遊技媒体が不正に払い出されてしまうので、せっかく当該文献技術を採用しても、期待していた効果を奏することができないという問題があった。
【０００９】
また、遮蔽部材をリールの上方に手動で回動する作業を不正行為者が実行できないようにするために、例えば、指紋認証などの機構を遊技機内に配置することが考えられる。これは、遮蔽部材の回動作業を特定の店員しか行えないようにするためのものであり、その特定の店員の指紋を予め登録しておき、この店員が回動作業の開始前に指紋認証を受け、登録された店員であるとの判定を受けた後に、その作業を実行可能とするというものである。
ただし、このように指紋認証を行うためには、指紋認証を実行するための装置を遊技機に備える必要があるので、遊技機がコスト高になるという問題があった。
さらに、遮蔽部材を回動しようとするたびに指紋認証を受けなければならないことから、店員の作業工数が増加するという問題もあった。
【００１０】
また、文献技術は、設定用操作部を不当に操作して所定の抽選確率の設定を不正に変更するという不正行為が発生した場合にその後の遊技を不能とする技術であるが、不正行為は、設定用操作部を不当に操作するという行為に限るものではなく、次のような不正行為も発生することが考えられる。
例えば、遊技の進行を制御する主制御基板が、二つのケース部材の間に収容された状態で、遊技機の所定の箇所に配設されている場合において、それら二つのケース部材が、樹脂製のピン材であるかしめピンを用いて開封不能に封止されているときに、そのかしめピンを破壊して二つのケース部材を開封し、主制御基板に実装されたＲＯＭを交換するという不正行為が発生することが考えられる。
【００１１】
このような不正行為が発生した場合でも、かしめピンの破壊された状態がその後も残存するため、このかしめピンの破壊状態を不正行為の痕跡として残すことができ、そのかしめピンの破壊状態を発見することにより、不正行為が発生したことを知得できる。
ところが、その破壊されたかしめピンが、外見上破壊されていないかのように修復されたときには、不正行為の発見が遅れてしまうこととなり、ひいては、遊技場が損害を被ることとなってしまう。
このため、このようにかしめピンを破壊する不正行為が発生した場合でも、当該不正行為を早期かつ確実に検出して、遊技できない遊技不能状態へ移行可能とする技術の提案が求められていた。
【００１２】
本発明は、上記の事情にかんがみなされたものであり、不正行為の発生に伴ってその後の遊技を不能とする機能を不正行為の発生時にのみ実行可能とするとともに、不正行為が発生したときには遊技不能状態への移行を確実に実行可能とし、かつ、遊技場の店員の作業工数が増加するのを回避でき、さらに、遊技機のコスト高を抑制可能とし、しかも、かしめピンを破壊する不正行為を早期かつ確実に検出して遊技不能状態へ移行可能とする遊技機の提供を目的とする。
【課題を解決するための手段】
【００１３】
この目的を達成するため、本発明の遊技機は、遊技の進行を制御する主制御基板と、この主制御基板を収容する基板ケースと、この基板ケースを開封不能に封止するかしめピンとを備えた遊技機であって、かしめピンに、所定の配線が設けられ、主制御基板は、かしめピンの切断に伴って所定の配線が切断されると、その後の遊技を不能にする構成としてある。
【００１４】
また、本発明の遊技機は、遊技の進行を制御する主制御基板と、この主制御基板を収容する基板ケースと、この基板ケースを開封不能に封止するかしめピンとを備えた遊技機であって、かしめピンに、所定の配線が設けられ、主制御基板は、遊技の進行を制御するためのプログラムを実行する中央演算処理装置と、所定の電圧レベルを示す電圧を保持する電圧保持回路とを有し、電圧保持回路は、かしめピンの切断に伴って所定の配線が切断されると、所定の電圧レベルを示す電圧を電圧信号として中央演算処理装置のリセット端子に入力させ、中央演算処理装置は、リセット端子への電圧信号の入力が継続することで、遊技を不能にする構成としてある。
【発明の効果】
【００１５】
本発明の遊技機によれば、かしめピンの切断を検出したときにその後の遊技を不能とし、かしめピンが切断されていないときには、その後の遊技を不能としないので、このかしめピンの切断という不正行為が発生した場合にのみ、その後の遊技を不能とすることができる。
また、かしめピンと、このかしめピンに付設された所定の配線は、一度切断されると復元不可能なため、当該不正行為の発生の痕跡を存置させることができ、このように不正行為の痕跡が存置している間は、遊技不能状態への移行を確実に実行できる。
さらに、リールと表示窓との間に介在した遮蔽部材をリールの上方へ回動させる作業が不要なため、遊技場の店員の作業工数が増加するのを回避できる。
しかも、指紋認証のための装置を備える必要がないので、遊技機のコスト高を抑制できる。
また、かしめピンの切断に伴って所定の配線が切断されると、その後の遊技を不能にするので、かしめピンを破壊する不正行為を早期かつ確実に検出して遊技不能状態へ移行できる。
【図面の簡単な説明】
【００１６】
【図１】本発明の実施形態に係るスロットマシンの外観構成を示す斜視図である。
【図２】本発明の実施形態に係るスロットマシンの内部構成を示す斜視図である。
【図３】本発明の実施形態に係るスロットマシンの制御系の構成を示すブロック図である。
【図４】本発明の第一実施形態に係る主基板ユニットの構成を示す斜視図であって、基板ケースを開放した状態を示す図である。
【図５】本発明の第一実施形態に係るかしめピンの構成を示す外観斜視図である。
【図６】本発明の第一実施形態に係る主基板ユニットの断面図であり、（ａ）は、基板ケースを閉じる直前の状態を示す図であり、（ｂ）は、基板ケースを閉じた状態を示す図である。
【図７】主基板ユニットの要部拡大斜視断面図であり、（ａ）は、かしめピン挿入前の状態を示す図であり、（ｂ）は、かしめピン挿入後の状態を示す図である。
【図８】主基板ユニットの蓋ケースにカバーを取り付けた状態を示す外観斜視図である。
【図９】主基板ユニットの蓋ケースとカバーとを分解した状態を示す分解斜視図である。
【図１０】本発明の第一実施形態に係る不正検出装置の構成を示す回路図であって、かしめピンが切断されていない状態を示す図である。
【図１１】本発明の第一実施形態に係る不正検出装置の構成を示す回路図であって、かしめピンが切断された状態を示す図である。
【図１２】本発明の第一実施形態に係る不正検出装置の他の構成を示す回路図である。
【図１３】本発明の第一実施形態に係る副制御部の動作手順を示すフローチャートである。
【図１４】主基板ユニットの他の構成を示す外観斜視図である。
【図１５】かしめピンの他の構成を示す外観斜視図である。
【図１６】本発明の第二実施形態に係る主基板ユニットの構成を示す正面図である。
【図１７】設定キーユニットの構成を示す外観斜視図であり、（ａ）は、カバーを閉じた状態を示す図であり、（ｂ）は、カバーを開けた状態を示す図である。
【図１８】本発明の第二実施形態に係るかしめピンの構成を示す外観斜視図である。
【図１９】本発明の第二実施形態に係る不正検出装置の構成を示す回路図であって、かしめピンが切断されていない状態を示す図である。
【図２０】本発明の第二実施形態に係る不正検出装置の構成を示す回路図であって、かしめピンが切断された状態を示す図である。
【図２１】本発明の第二実施形態に係る副制御部の動作手順を示すフローチャートである。
【発明を実施するための形態】
【００１７】
以下、本発明に係る遊技機の好ましい実施形態について、各図を参照して説明する。
【００１８】
［遊技機］
所定の内容で遊技を実行する遊技機には、スロットマシン、パチンコ機、パロット、雀球、アレンジボールなど様々な機類があるが、本実施形態では、本発明をスロットマシンに適用した場合について説明する。
【００１９】
本実施形態のスロットマシンは、複数のリールを回転させることによって遊技媒体であるメダルを獲得できる回胴式遊技機として構成されており、遊技の進行を制御する主制御部が、当該スロットマシンを構成する各種装置を納めた筐体の内側面に配設された構成となっている。
以下、本実施形態に係るスロットマシンについて詳述する。
【００２０】
図１〜図３に示すように、本実施形態のスロットマシン１は、メダル投入口２から実際に投入されるメダルの数（例えば、３枚）、又は内部的に記憶されたクレジットメダルからベットボタン２ａの操作によって信号形式で投入されるメダルの数（例えば、３枚）に応じてゲーム開始可能な状態となり、この状態でスタートレバー３が操作（始動操作）されると、複数のリール４（４ａ〜４ｃ）が回転を開始するとともに、それぞれのリール４ａ〜４ｃに対応する停止ボタン５ａ〜５ｃが押圧操作されると、スタートレバー３の操作タイミングで行われる抽選処理の抽選結果に応じた図柄の組合せで停止するように各リール４ａ〜４ｃが停止制御され、停止した図柄の組合せに基づいて入賞の有無が判定され、判定結果に応じてメダル払出装置７からメダルが払い出されるという、通常のスロットマシン遊技を実現可能な構成を備えている。
【００２１】
このようなスロットマシン遊技を実現可能なスロットマシン１においては、遊技の進行を制御する主制御部として機能する主基板ユニット１０が、筐体１ｂの内側面に設けられている。
主基板ユニット１０は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品が実装されたプリント基板である主制御基板２０と、この主制御基板２０を収容する基板ケース１１とで構成されている（図４参照）。
主制御基板２０は、例えば、実装されたＲＯＭに記憶されているプログラムの内容を書替えたり、実装されている電子部品を異なる電子部品に取り替えたりすることで、スロットマシン１における遊技特性（例えば、出玉率）を容易に変更できるため、不正改造がなされる可能性の高い基板とされている。
【００２２】
そこで、主制御基板２０は、基板ケース１１を構成する二枚のケース部材である蓋ケース３０と本体ケース４０の間に挟み込まれた状態で当該基板ケース１１の内部に収容されており、かつ、これら蓋ケース３０と本体ケース４０は、閉じた状態で所定のかしめピン５０が係合することにより開封不能に封止されている（図７（ａ）、（ｂ）参照）。
そして、かしめピン５０には、主制御基板２０に電源を供給するための電源用配線６１ａが付設されており（図５参照）、不正行為によりかしめピン５０が切断され、これに伴って電源用配線６１ａが切断されると、主制御基板２０への電源供給が停止して、遊技を実行できない遊技不能状態となり、不正行為による不正なメダルの払い出しを確実に阻止できるようになっている。
このような動作を実現可能とするための構成を不正検出装置とし、以下、この不正検出装置の構成について、図４〜図１５を参照しつつ説明する。
【００２３】
［不正検出装置の第一実施形態］
本実施形態の不正検出装置Ａは、図１０に示すように、主制御基板２０と、この主制御基板２０を収容する基板ケース１１を開封不能に封止するかしめピン５０と、遊技に関する所定の演出を制御する副制御基板９１と、主制御基板２０等へ電源電力を供給する電源装置１１０と、これら主制御基板２０や電源装置１１０等を接続する電源用配線６１ａ等の各種配線によって構成されている。
以下、この不正検出装置Ａの構成について説明する。
なお、本実施形態においては、主制御基板２０を含む主基板ユニット１０の構成と、基板ケース１１に装着されるかしめピン５０の構成について、先に説明し、その後に、不正検出装置Ａの他の構成、及び、不正検出装置Ａの動作について説明する。
【００２４】
（１）主基板ユニット及びかしめピン
主基板ユニット１０は、蓋ケース３０と本体ケース４０との間に主制御基板２０を収容してユニット化した構造となっている。
主制御基板２０は、遊技の進行を制御するためのプログラムを実行するＣＰＵ（中央演算処理装置）２３、遊技の進行を制御するためのプログラムやデータを記憶するＲＯＭ、ＲＡＭなどの種々の電子部品が実装された部品実装面２１と、これらの部品のリード部を半田接合する半田面２２とからなるプリント基板で構成されている（図４参照）。
また、主制御基板２０は、図３に示すように、投入されたメダルを検出するメダルセレクタ２ｂから出力されたメダル検出信号や、スタートレバー３、停止ボタン５ａ〜５ｃなどの各操作手段から出力された信号等を受信し、これらの信号に基づいて、筐体１ｂの内部に設けられたドラムユニット４Ａやメダル払出装置７などの各装置を制御することで、スロットマシン遊技を進行させることができるようになっている。
【００２５】
蓋ケース３０と本体ケース４０は、いずれも矩形状で浅底のケース部材として形成されており、蓋ケース３０が主制御基板２０の部品実装面２１側を覆い、本体ケース４０が主制御基板２０の半田面２２側を覆うようにして、これら二枚のケース部材の間に主制御基板２０を挟み込むことで、当該主制御基板２０を収容するようになっている。
また、蓋ケース３０と本体ケース４０は、部品実装面２１と半田面２２を外部から視認可能、かつ、容易に破壊できないように、無色透明な工業用樹脂（例えば、ポリカーボネート）で形成されている。
【００２６】
なお、基板ケース１１の内部において、主制御基板２０は、蓋ケース３０に対して所定のネジにより螺着されて収容されるようになっている。
また、基板ケース１１は、蓋ケース３０と本体ケース４０とを開閉可能に支持するヒンジ１２を備えている。このヒンジ１２は、ケース閉状態において、蓋ケース３０と本体ケース４０とを軸止し、ヒンジ１２側からケースを開放することができないように構成してある。
【００２７】
また、基板ケース１１は、蓋ケース３０と本体ケース４０とを開封不能に封止するかしめ構造を備えている。
具体的に、かしめ構造は、図４〜図９に示すように、蓋ケース３０と本体ケース４０とに係合するかしめピン５０（図５参照）と、蓋ケース３０の外縁から突出する蓋かしめ部３１と、本体ケース４０の外縁から突出する本体かしめ部４１とにそれぞれ設けられ、主制御基板２０の基板面（部品実装面２１及び半田面２２）とほぼ平行に開口されるとともに、ケース閉状態でかしめピン５０が挿通可能に連通する開口部３２ａ，４１１，４１２と、蓋かしめ部３１に設けられ、各開口部３２ａ，４１１，４１２に挿通したかしめピン５０が脱抜不能に係止される係止部３２ｂと、を備え、蓋ケース３０と本体ケース４０とを閉状態にして、かしめピン５０を開口部４１２から挿入すると（図７（ａ）参照）、かしめピン５０が各開口部３２ａ，４１１，４１２に亘って挿通されるとともに、脱抜不能に係止部３２ｂに係止され、蓋ケース３０と本体ケース４０とが開封不能に封止される（図７（ｂ）参照）。
以下、各部の構成について説明する。
【００２８】
蓋かしめ部３１と本体かしめ部４１は、図４に示すように、ヒンジ１２の対辺側に設けられた、各ケース３０，４０外縁から主制御基板２０の基板面とほぼ平行に突出する部位である。各かしめ部３１，４１には、それぞれケース閉状態で重なる凸部３２と凹部４２を形成してある。
凸部３２は、本体ケース４０に向かって垂下する部分で、この凸部３２には、主制御基板２０の基板面とほぼ平行、かつ、かしめピン５０が挿通可能に開口された開口部３２ａと、かしめピン５０が係止される係止部３２ｂとを形成してある。
【００２９】
凹部４２は、蓋ケース３０に向かって開口した部分で、ケース閉状態で凸部３２が収容されるように凹設され、この凹部４２には、主制御基板２０の基板面とほぼ平行、かつ、かしめピン５０が挿通可能に開口された第一開口部４１１と第二開口部４１２を形成してある。
第一開口部４１１と第二開口部４１２は、それぞれ挿通されたかしめピン５０の先端側と後端側に位置し、ケース閉状態において、凸部３２（開口部３２ａ）は、これらの間に位置するようになっている。
【００３０】
また、本体ケース４０には、主制御基板２０が収容される基板収容空間４３と、かしめピン５０が挿通されるかしめピン収容空間４４とを仕切る側壁部４５に、それら基板収容空間４３とかしめピン収容空間４４とを連通するように貫通した第三開口部４６が穿設されている（図６（ａ）、（ｂ）参照）。
【００３１】
かしめピン５０は、ピン材の一例であり、各開口部３２ａ，４１１，４１２に挿通されることで、蓋ケース３０と本体ケース４０とを開封不能に封止する閂（かんぬき）として機能する。
かしめピン５０は、容易に破壊できない工業用樹脂（例えば、ポリカーボネート）で形成されており、図５に示すように、当該かしめピン５０の先端部５１から斜め後方の二方向に向かって延伸した弾性爪部５２と、直方体状の胴部５４と、先端部５１と胴部５４とを接続する首部５３とで構成されている。
【００３２】
また、かしめピン５０には、図５、図１０に示すように、電源装置１１０から主制御基板２０へ電源電力を供給するための電源用配線６１ａと、端部が主制御基板２０を介して接地される接地用配線６３ａと、かしめピン５０が切断されたことを主制御基板２０と副制御基板９１の両方で検出するための検出用配線６２とが、当該かしめピン５０の内部に挿通されるとともに、当該かしめピン５０の先端部５１の先端面から胴部５４の後端面に亘って挿通されており、かつ、当該かしめピン５０の先端部５１の先端面と、胴部５４の後端面から、それぞれ外方へ延出するように設けられている。
さらに、これら各配線６１ａ，６３ａ，６２の一方の端部（かしめピン５０の先端部５１の先端面から外方へ延伸した各配線６１ａ，６３ａ，６２の端部）には、主制御基板２０に実装された主基板第一コネクタ２４に接続されるピン側第一コネクタ５５が取り付けられている。また、各配線６１ａ，６３ａ，６２の他方の端部（かしめピン５０の胴部５４の後端面から外方へ延伸した各配線６１ａ，６３ａ，６２の端部）には、電源装置１１０に接続するためのピン側第二コネクタ５６が取り付けられている。
【００３３】
このように構成されたかしめピン５０は、各配線６１ａ，６３ａ，６２及びピン側第一コネクタ５５が本体ケース４０と蓋ケース３０の各開口部３２ａ，４１１，４１２，４６に挿通された後、かしめピン５０の本体が基板ケース１１の各開口部３２ａ，４１１，４１２に挿通されることで、蓋ケース３０と本体ケース４０とを開封不能に封止する。
このようにかしめピン５０及び各配線６１ａ，６３ａ，６２を基板ケース１１の各開口部３２ａ，４１１，４１２，４６に挿通するときの具体的な手順は、次の通りである。
【００３４】
まず、図４に示すように、ヒンジ１２を軸として本体ケース４０と蓋ケース３０とを開放した状態にする。このとき、主制御基板２０は、蓋ケース３０に収容せず、取り外した状態とする。
かしめピン５０を用意し、この先端部５１の先端面から外方へ延伸した各配線６１ａ，６３ａ，６２の端部に取り付けられているピン側第一コネクタ５５を、図６（ａ）に示すように、本体ケース４０の外部から、本体ケース４０の第二開口部４１２、蓋ケース３０の開口部３２ａ、本体ケース４０の第一開口部４１１、第三開口部４６の順に挿通する。そして、このピン側第一コネクタ５５を、主制御基板２０に実装された主基板第一コネクタ２４に接続する。
【００３５】
この主制御基板２０を蓋ケース３０にネジ止めして固定し、本体ケース４０と蓋ケース３０とを閉じて主制御基板２０を収容する（図６（ａ）、（ｂ）参照）。このとき、本体ケース４０と蓋ケース３０との間、特に、本体ケース４０の凹部４２とこの凹部４２に収容される蓋ケース３０の凸部３２との間に、各配線６１ａ，６３ａ，６２が挟まれて損傷しないように、それら各配線６１ａ，６３ａ，６２を本体ケース４０の第二開口部４１２から外部へ引き出すようにしながら、本体ケース４０と蓋ケース３０とを閉じる。
【００３６】
次いで、かしめピン５０を本体ケース４０と蓋ケース３０の各開口部３２ａ，４１１，４１２に挿入する（図７（ａ）、（ｂ）参照）。このとき、各配線６１ａ，６３ａ，６２が本体ケース４０の基板収容空間４３又はかしめピン収容空間４４の内部に納まるように押し込みながら、かしめピン５０を各開口部３２ａ，４１１，４１２に挿入する。
かしめピン５０の先端部５１を第二開口部４１２に挿入し、さらに、図７（ｂ）に示すように、その先端部５１が第一開口部４１１と係合するまで、かしめピン５０を押し込むことで、かしめピン５０は、各開口部３２ａ，４１１，４１２に亘って挿通される。
これにより、本体ケース４０と蓋ケース３０がかしめピン５０により開封不能に閉塞される。
【００３７】
この状態で、例えば、蓋ケース３０を持ち上げて基板ケース１１を開放しようとする外力を加えると、第一開口部４１１の上面と先端部５１が当接し、凸部３２の開口部３２ａの底面と胴部５４又は首部５３が当接し、さらに、第二開口部４１２の上面と胴部５４後端側が当接することで、かしめピン５０が基板ケース１１の開放を妨げるように作用する。すなわち、かしめピン５０が閂（かんぬき）として動作し、蓋ケース３０と本体ケース４０とを封止する。
【００３８】
また、この押し込められた状態にあるかしめピン５０は、これら各開口部３２ａ，４１１，４１２から脱抜不能に係止されている。具体的に、かしめピン５０の弾性爪部５２は、弾性変形しながら開口部３２ａを通過した後、元の形状に復元すると、この弾性爪部５２の先端が、凸部３２の一の面（蓋ケース３０に収納された主制御基板２０に対向する側の面）における開口部３２ａの周縁である係止部３２ｂに係止する。これにより、かしめピン５０は、各開口部３２ａ，４１１，４１２へ挿通した方向とは反対方向へ引き抜こうとしても、弾性爪部５２の先端が凸部３２の係止部３２ｂに当接するので、それら各開口部３２ａ，４１１，４１２から脱抜不能となっている。
【００３９】
さらに、そのようにかしめピン５０が押し込められた本体ケース４０の凹部４２の上方には、蓋ケース３０の蓋かしめ部３１がその凹部４２を覆うように位置しており、さらに、この蓋かしめ部３１の上面側には、図７〜図９に示すように、この蓋かしめ部３１を覆うカバー３５が取り付けられている。これにより、かしめピン５０は、蓋かしめ部３１とカバー３５とによって外部から遮蔽されているので、そのかしめピン５０の弾性爪部５２が外部から操作できないようになっている。
【００４０】
ただし、主制御基板２０を新規の基板に交換する等、蓋ケース３０と本体ケース４０との開封が必要となった場合には、次の手順で、その開封が実行される。
蓋かしめ部３１は、図９に示すように、肉薄で梁状に形成された接合部３３ａ，３３ｂを介して蓋ケース３０に連結された形状で、蓋ケース３０と一体に形成されている。
この接合部３３ａ，３３ｂをニッパーなどの切断工具で切断すると、蓋かしめ部３１が第二開口部４１２側にスライド可能となる。そして、かしめピン５０の首部５３を切断するなどして、第一開口部４１１とかしめピン５０（先端部５１）との係合を解除することで、蓋ケース３０と本体ケース４０とを開封できるようになっている。
ただし、この接合部３３ａ，３３ｂは、カバー３５で覆われているので、この接合部３３ａ，３３ｂを容易に切断できないようになっている。
【００４１】
以上が本実施形態における主基板ユニット１０とかしめピン５０の構成であるが、カバー３５及び蓋かしめ部３１が不当に破壊され、かしめピン５０が不当に切断される不正行為が発生した場合には、そのかしめピン５０に付設された電源用配線６１ａが切断されることで、主制御基板２０への電源供給が停止して、その後の遊技が不能な状態となり、不正なメダルの払い出しを阻止できるようになっている。
次に、このような動作を実現可能とする不正検出装置Ａの構成について、図１０を参照して説明する。
【００４２】
（２）不正検出装置
図１０に示すように、不正検出装置Ａは、電源用配線６１ａと接地用配線６３ａと検出用配線６２が、かしめピン５０の内部を通して配設されており、このかしめピン５０が切断されることで電源用配線６１ａが切断されて、主制御基板２０への電力供給が停止して、遊技が不能な状態となるとともに、このようにかしめピン５０の切断により遊技不能状態となったことを、前扉１ａの正面上方に配置された液晶表示器８ｂに表示させることで報知する構成となっている。
以下、この構成について詳細に説明する。
【００４３】
電源用配線６１ａは、一方の端部が電源装置１１０に接続されており、他方の端部が主制御基板２０のＣＰＵ２３等に接続されている。これにより、電源装置１１０から主制御基板２０へ電源電力が供給される。
なお、スロットマシン１の筐体１ｂの内側面には、所定の演出制御を実行する副制御基板９１を所定の基板ケースに収容した副基板ユニット９０が配設されており（図２参照）、その副制御基板９１と電源装置１１０との間には、電源装置１１０から副制御基板９１のＣＰＵ９２等へ電源電力を供給するための電源用配線６１ｂが接続されている。
副制御基板９１は、ＣＰＵ（中央演算処理装置）９２、ＲＯＭ、ＲＡＭなどの種々な電子部品が実装されたプリント基板であって、所定の報知手段であるスピーカ８ａ、液晶表示器８ｂ、ＬＥＤ８ｃを駆動して、音声出力、画像表示、発光表示等による演出制御を実行する。
【００４４】
接地用配線６３ａは、一方の端部が電源装置１１０に接続されており、他方の端部が主制御基板２０の接地用端子（ＧＮＤ）に接続されている。これにより、接地用配線６３ａの端部が主制御基板２０を介して接地される。
なお、電源装置１１０と副制御基板９１のＣＰＵ９２との間には、接地用配線６３ｂが接続されている。
【００４５】
検出用配線６２は、主制御基板２０と副制御基板９１との間を接続する配線であって、一方の端部が、かしめピン５０の切断を主制御基板２０にて検出するための第一検出回路２５に接続され、他方の端部が、かしめピン５０の切断を副制御基板９１にて検出するための第二検出回路９３に接続されている。
第一検出回路２５は、ＬＥＤなどの発光素子２５ｂと抵抗２５ｃが直列に接続されるとともに、所定の電圧値を保持する電圧保持回路２５ａがそれら発光素子２５ｂと抵抗２５ｃとの直列回路に並列に接続され、この並列回路が検出用配線６２の一方の端部に接続された回路構成となっている。
第二検出回路９３は、第一検出回路２５からの信号をＣＰＵ９２のＩＮＴ端子へ入力するための増幅回路９３ａが検出用配線６２の他方の端部に接続されるとともに、ＬＥＤなどの発光素子９３ｂと抵抗９３ｃとの直列回路が、検出用配線６２の他方の端部に接続された回路構成となっている。
【００４６】
このような構成において、不正検出装置Ａは、次のような内容で動作する。
まず、かしめピン５０が切断されていない正常な状態における不正検出装置Ａの動作について説明する。
電源装置１１０に備えられた電源スイッチ１１１（図２参照）がＯＦＦからＯＮに切り替えられることで電源が投入されると、電源装置１１０は、外部から商用電力を受電し、この商用電力を変圧等した電源電力を、電源用配線６１ａを通して主制御基板２０へ供給するとともに、電源用配線６１ｂを通して副制御基板９１へ供給する。
主制御基板２０は、電源装置１１０からの電源電力の供給を受けると、所定の初期設定を実行後、通常実行するスロットマシン遊技を実行可能な遊技可能状態に移行し、メダル等の遊技媒体の投入を受付可能な状態とする。
【００４７】
また、主制御基板２０の第一検出回路２５は、主制御基板２０が電源装置１１０から電源電力の供給を受けていることで、電圧保持回路２５ａが所定の電圧値（Ｖｃｃ）を保持してＨｉｇｈ状態となり、この電圧保持回路２５ａで保持されている電圧の印加により発光素子２５ｂが発光（点灯）する。さらに、電圧保持回路２５ａで保持されているＨｉｇｈレベルの電圧値が、正常状態を示す通電信号として、検出用配線６２を通して副制御基板９１の第二検出回路９３へ送られる。
【００４８】
第二検出回路９３では、主制御基板２０の第一検出回路２５から送られてきた正常状態を示す通電信号を受け取る。そして、この通電信号であるＨｉｇｈレベルの電圧の印加により発光素子９３ｂが発光（点灯）する。
また、その通電信号が、増幅回路９３ａを通して、ＣＰＵ９２のＩＮＴ端子に入力される。この通電信号は、Ｈｉｇｈレベルの電圧値を示す信号であるので、ＣＰＵ９２は、かしめピン５０が切断されておらず、不正行為が発生していないものと判断する。
その後、副制御基板９１は、主制御基板２０から所定のコマンドを受信すると、所定の演出制御を実行する。
【００４９】
次に、かしめピン５０が切断された状態における不正検出装置Ａの動作について、図１１を参照して説明する。
かしめピン５０が切断された場合は、この切断に伴って、そのかしめピン５０の内部に通された電源用配線６１ａと接地用配線６３ａと検出用配線６２がすべて切断される。
これにより、電源用配線６１ａを通して電源装置１１０から主制御基板２０へ供給されていた電源電力の当該供給が停止し、主制御基板２０の動作が停止する。これにより、その後の遊技ができない遊技不能状態となり、その後の不正なメダルの払い出しが阻止される。
【００５０】
また、このように、主制御基板２０が電源装置１１０からの電力供給を受けなくなったことで、主制御基板２０の第一検出回路２５では、電圧保持回路２５ａが保持していた電圧値Ｖｃｃが０Ｖに下降してＬｏｗ状態となり、発光素子２５ｂへの電圧の印加が停止して、この発光素子２５ｂが消灯する。
さらに、電圧保持回路２５ａで検出されたＬｏｗレベルの電圧値が、異常状態を示す通電信号として、検出用配線６２を通して副制御基板９１の第二検出回路９３へ送られる。
【００５１】
第二検出回路９３では、主制御基板２０の第一検出回路２５から送られてきた通電信号が受信される。そして、その通電信号の電圧値がＬｏｗレベルであるために、発光素子９３ｂへの電圧の印加が停止して、この発光素子９３ｂが消灯する。
また、その通電信号が、増幅回路９３ａを通して、ＣＰＵ９２のＩＮＴ端子に入力される。この通電信号は、Ｌｏｗレベルの電圧値を示す信号であるので、ＣＰＵ９２は、不正行為によりかしめピン５０が切断されたものと判断する。
そして、ＣＰＵ９２は、スロットマシン１の前扉１ａの前面上部（リール４ａ〜４ｃの図柄を表示する表示窓６の上方）に設けられた液晶表示器８ｂに対し、かしめピン５０が切断されたために遊技が不能となっていることを示す文字等（例えば、「かしめピンが切断されているため遊技ができません！」など）を表示させる。これにより、かしめピンの切断という不正行為が発生したことを報知できる。また、遊技場の店員は、その液晶表示器８ｂの表示内容を視認することで、かしめピン５０の切断に伴う不正行為が発生したことを把握できる。
【００５２】
なお、図１０、図１１においては、検出用配線６２が、電源装置１１０を中継して配設された構成を示しているが、例えば、図１２に示すように、検出用配線６２は、電源装置１１０を中継させずに、主制御基板２０と副制御基板９１とを直接繋げるように配設することもできる。
また、かしめピン５０が切断されて遊技不能状態となった後、遊技可能状態へ復帰させる場合は、切断されたかしめピン５０を新品のかしめピン５０と交換し、これを基板ケース１１に装着して開封不能に封止し、電源装置１１０の電源スイッチ１１１をＯＦＦにした後、さらにＯＮにすることで、遊技可能状態に復帰する。
【００５３】
また、本実施形態の不正検出装置Ａにおいては、かしめピン５０が切断されることにより、主制御基板２０への電源供給が停止するものであるが、副制御基板９１への電力供給は停止しないので、液晶表示器８ｂに対する演出制御が可能となっている。
次に、この副制御基板９１の動作について、図１３を参照して説明する。
【００５４】
スロットマシン１の電源スイッチ１１１がＯＦＦからＯＮに切り換えられると（Ｓ１０−Ｙｅｓ）、副制御基板９１（ＣＰＵ９２）は、主制御基板２０の第一検出回路２５から送られてきた通電信号が、Ｌｏｗレベルを示す通電信号であるか否かを判断する（Ｓ１１）。
主制御基板２０から送られてきた通電信号がＬｏｗレベルを示す通電信号であるときは（Ｓ１１−Ｙｅｓ）、副制御基板９１は、かしめピン５０が切断されたために遊技が不能になったことを示す文字等を液晶表示器８ｂに表示させることで報知する（Ｓ１２）。
一方、主制御基板２０から送られてきた通電信号がＬｏｗレベルを示す通電信号ではなく、Ｈｉｇｈレベルを示す通電信号であるときは（Ｓ１１−Ｎｏ）、副制御基板９１は、Ｓ１２の処理を実行しない。
その後、副制御基板９１は、通常実行する演出制御を実行する（Ｓ１３）。
【００５５】
以上説明した機能を実現することにより、本実施形態の不正検出装置Ａは、かしめピン５０が切断されたことを確実に検出するとともに、その後の遊技が不能な遊技不能状態とすることができる。これにより、不正行為者に対する不正なメダルの払い出しを阻止できる。
また、かしめピン５０の切断が主制御基板２０で検出されるだけでなく副制御基板９１でも検出可能となっているので、この副制御基板９１による液晶表示器８ｂの制御により、かしめピン５０が切断されて遊技不能状態となったことを報知できる。
そして、この液晶表示器８ｂの報知内容を視認することにより、遊技場の店員は、その遊技不能状態が、遊技機の故障等によるものではなく、かしめピン５０の切断によるものであることを知得でき、適切な対応をとることができる。
【００５６】
さらに、かしめピン５０を切断して基板ケース１１を開封し、主制御基板２０に不正をして、再度、かしめピン５０を封印しているように取り付けようとしても、かしめピン５０に付設されていた各配線６１ａ，６３ａ，６２が修復不能に切断されているので、主制御基板２０に電源電力が供給されない状態がその後も維持される。これにより、不正行為者による遊技不能状態の解除を不能とするとともに、店員が不正行為の発生を認識するまで、その遊技不能状態を維持させることができ、店員は、その不正行為の発生を確実に知得することができる。
【００５７】
また、図６（ａ）、（ｂ）、図７（ａ）、（ｂ）においては、主制御基板２０に実装された主基板第一コネクタ２４が蓋ケース３０の内部に収容されており、基板ケース１１の外部からのアクセスが不能となっているが、例えば、図１４に示すように、その主基板第一コネクタ２４を、蓋ケース３０に穿設されたコネクタ孔３４に挿通して外部に露出した構造とすることもできる。
この場合、かしめピン５０の構造は、図１５に示すように、各配線６１ａ，６３ａ，６２をＵの字状に曲げ、この状態でかしめピン５０の内部に挿通する。そして、Ｕの字状の湾曲部分を先端部５１の内部に達するようにし、Ｕの字状の両方の端部を、いずれもかしめピン５０の胴部５４の後端面から外方へ延出させる。さらに、Ｕの字状の一方の先端には、主基板第一コネクタ２４に接続するためのピン側第一コネクタ５５を接続し、他方の先端には、電源装置１１０に接続するためのピン側第二コネクタ５６を接続する。
【００５８】
そして、このかしめピン５０を基板ケース１１に装着する場合は、このかしめピン５０を本体ケース４０と蓋ケース３０の各開口部３２ａ，４１１，４１２に挿入し、蓋ケース３０のコネクタ孔３４から露出した主基板第一コネクタ２４にピン側第一コネクタ５５を接続し、ピン側第二コネクタ５６を電源装置１１０に接続する。これにより、かしめピン５０の装着が完了する。
このように主制御基板２０の主基板第一コネクタ２４とかしめピン５０の構成が、図１４、図１５に示す構成となっている場合でも、かしめピン５０が切断されたときには、このかしめピン５０に付設された電源用配線６１ａも切断されるので、主制御基板２０への電源供給が停止して、遊技不能状態となり、不正なメダルの払い出しを阻止できる。
【００５９】
［不正検出装置の第二実施形態］
次に、不正検出装置の第二実施形態について、図１６〜図２１を参照して説明する。
本実施形態は、第一実施形態と比較して、所定の遊技状態の設定確率を変更可能な状態にする設定キーユニットが主基板ユニットに接続されており、これら設定キーユニットと主制御基板との間を接続する配線がかしめピンに付設された点が相違する。すなわち、第一実施形態では、かしめピンに付設される配線が、電源装置から主制御基板へ電源電力を供給するための電源用配線を含む複数の配線であったのに対し、本実施形態では、かしめピンに付設される配線が、設定キーユニットと主制御基板との間を接続する配線を含む複数の配線となっている。主要な相違点はこのような点にあり、他の構成要素は第一実施形態とほぼ同様である。
したがって、図１６〜図２１において、図１等と同様の構成部分については同一の符号を付して、その詳細な説明を省略する。
なお、本実施形態においては、主基板ユニット１０の基板ケース１１に装着される設定キーユニット７０の構成と、本実施形態のかしめピン５０の構成について、先に説明し、その後に、不正検出装置Ｂの他の構成、及び、不正検出装置Ｂの動作について説明する。
【００６０】
（１）設定キーユニットとかしめピン
図１６、図１７（ａ）、（ｂ）に示すように、主基板ユニット１０の基板ケース１１には、キー操作によって設定確率が変更可能な状態にする設定キースイッチ７１を備える設定キーユニット７０が装着されている。
ここで、設定キーユニット７０は、基板ケース１１の側部に装着され、キー操作によって主制御基板２０にオン信号を出力するスイッチであって、このオン信号に基づいて主制御基板２０を設定変更可能な状態にする設定キースイッチ７１を備えている。
【００６１】
具体的に、設定キーユニット７０は、キー操作に基づく信号を伝送する設定キースイッチ７１と、設定キースイッチ７１の鍵穴部７２以外を覆って当該設定キースイッチ７１を支持するホルダー７３と、設定キースイッチ７１の鍵穴部７２を開閉可能に覆うカバー７４と、設定キーユニット７０を基板ケース１１に取り付ける取付構造と、を備えている。
【００６２】
設定キースイッチ７１は、鉄などの導電体で形成されたシリンダ状の胴体部の上面に、所定の設定キーが挿入される鍵穴部７２が形成されている。また、この胴体部の下面には、キー操作に基づく信号を出力するリード部（図示せず）が形成されている。
リード部には、そのキー操作に基づく信号を伝送するためのキー信号配線６５等（図１８、図１９参照）の端部が半田接合されており、これらキー信号配線６５等の反対側の端部は、主制御基板２０に接続される。
これにより、設定キースイッチ７１は、主制御基板２０と電気的に接続され、対応する設定キーを挿入・回転してＯＮ状態としたまま、電源装置１１０に設けられた電源スイッチ１１１をＯＮ（電源投入）することで、主制御基板２０にＯＮ状態を示すキー信号が入力され、所定の遊技状態の設定確率を変更可能な状態とすることができる。
【００６３】
ホルダー７３は、設定キースイッチ７１の鍵穴部７２以外を覆うカバー構造を有し、外側面には、板状の固定リブ７５が、基板ケース１１への取付構造として突設されている。
固定リブ７５には、板状の厚み方向に貫通した固定孔７５ａが形成されており、当該設定キーユニット７０を基板ケース１１の側部に挿置した後、この固定リブ７５の固定孔７５ａを通して基板ケース１１のネジ孔（図示せず）にネジを螺入することで、当該設定キーユニット７０を基板ケース１１に固定することができる。
カバー７４は、このカバー７４を軸止するヒンジ部７６を介してホルダー７３に接続されており、そのヒンジ部７６を中心として回動することにより、鍵穴部７２を覆う方向又は鍵穴部７２から離間する方向に開閉可能となっている。
【００６４】
設定キースイッチ７１は、鍵穴部７２に所定の設定キーを挿入し、所定方向（例えば、右方向）へ回すことでＯＮ状態となり、反対方向（例えば、左方向）へ回すことによりＯＦＦ状態となる。通常、設定キースイッチ７１の操作状態は、ＯＦＦ状態とされている。
この設定キースイッチ７１は、例えば、所定の遊技状態の設定確率を変更する場合に、操作される。
具体的に、所定の遊技状態の設定確率の変更は、次のように行われる。
スロットマシン１の前扉１ａを開扉し、電源装置１１０がＯＮ状態の場合には電源スイッチ１１１をＯＮからＯＦＦへ一旦切り替え、設定キースイッチ７１をＯＦＦからＯＮへ切り換えた後に、その電源スイッチ１１１をＯＦＦからＯＮへ切り換える。これにより、主制御基板２０は、現在設定されている設定値をＲＡＭから読み出し、前扉１ａの背面等に取り付けられた７セグ表示器１４０（図２、図３参照）に表示させる。前扉１ａの背面等に取り付けられた設定ボタン１３０（図２、図３参照）を押すことで、７セグ表示器１４０に表示された値を１ずつ変化させていき（設定６からさらに設定ボタン１３０が操作されたときは、設定１に戻るように変化させていき）、所望の設定値が表示されたところで、スタートレバー３を押下する。これにより、７セグ表示器１４０に表示されている値が設定値として確定する。そして、設定キースイッチ７１がＯＮからＯＦＦへ切り換えられることにより、その確定した設定値が主制御基板２０のＲＡＭに格納される。これにより、所定の遊技状態の設定確率の変更が終了する。その後、前扉１ａが閉められたことが主制御基板２０で検出されると、遊技を実行可能な遊技可能状態に移行する。
【００６５】
かしめピン５０は、ピン材の一例であって、図１８、図１９に示すように、主制御基板２０から設定キーユニット７０の設定キースイッチ７１へ電圧を印加するための電圧印加用配線６４と、主制御基板２０に実装されたＣＰＵ２３の接地用端子（ＧＮＤ）に接続されて接地される接地用配線６３ｃと、設定キースイッチ７１における操作状態を示すキー信号を主制御基板２０へ送るためのキー信号配線６５とが、当該かしめピン５０の内部に挿通されるとともに、当該かしめピン５０の先端部５１の先端面から胴部５４の後端面に亘って挿通されており、かつ、当該かしめピン５０の先端部５１の先端面と、胴部５４の後端面から、それぞれ外方へ延出するように設けられている。
また、各配線６４，６３ｃ，６５の一方の端部（かしめピン５０の先端部５１の先端面から外方へ延伸した各配線６４，６３ｃ，６５の端部）には、主制御基板２０に実装された主基板第一コネクタ２４に接続されるピン側第一コネクタ５５が取り付けられている。また、各配線６４，６３ｃ，６５の他方の端部（かしめピン５０の胴部５４の後端面から外方へ延伸した各配線６４，６３ｃ，６５の端部）は、設定キースイッチ７１のリード部（図示せず）に接続されている。
【００６６】
このように構成されたかしめピン５０は、第一実施形態におけるかしめピン５０と同様、ピン側第一コネクタ５５及び各配線６４，６３ｃ，６５が、開放された本体ケース４０と蓋ケース３０との各開口部３２ａ，４１１，４１２，４６に挿通され、そのピン側第一コネクタ５５が主制御基板２０の主基板第一コネクタ２４に接続され、この主制御基板２０を収容した後に閉じた状態の本体ケース４０と蓋ケース３０の各開口部３２ａ，４１１，４１２に対してかしめピン５０が挿通されることで、それら本体ケース４０と蓋ケース３０とを開封不能に封止する。
なお、このようにかしめピン５０、各配線６４，６３ｃ，６５、ピン側第一コネクタ５５を本体ケース４０と蓋ケース３０との各開口部３２ａ，４１１，４１２，４６に挿通するときの具体的な手順は、第一実施形態において本体ケース４０と蓋ケース３０との各開口部３２ａ，４１１，４１２，４６にかしめピン５０等を挿通する手順と同様である。
【００６７】
以上が本実施形態における設定キーユニット７０とかしめピン５０の構成であるが、このような構成を備える設定キーユニット７０が主基板ユニット１０の基板ケース１１に取り付けられたスロットマシン１においても、かしめピン５０の切断を検出したときに遊技を不能な状態にする不正検出装置Ｂを備えることができる。
次に、この不正検出装置Ｂの構成について、図１９を参照して説明する。
【００６８】
（２）不正検出装置
図１９に示すように、不正検出装置Ｂは、電圧印加用配線６４と接地用配線６３ｃとキー信号配線６５が、かしめピン５０の内部を通して配設されており、このかしめピン５０が切断されたことを主制御基板２０が検出すると、その後の遊技を不能とする遊技不能状態へ移行するとともに、このようにかしめピン５０の切断により遊技不能状態となったことを、副制御基板９１が液晶表示器８ｂに表示させることで報知する構成となっている。
以下、この構成について詳細に説明する。
【００６９】
電圧印加用配線６４は、一方の端部が主制御基板２０のＣＰＵ２３の電源端子（Ｖｃｃ）に接続されており、他方の端部が設定キースイッチ７１のリード部に接続されている。これにより、主制御基板２０のＣＰＵ２３から設定キースイッチ７１に対して、所定の電圧値（Ｖｃｃ）を示す電圧が印加される。
接地用配線６３ｃは、一方の端部が設定キースイッチ７１のリード部に接続されており、他方の端部が主制御基板２０のＣＰＵ２３の接地用端子（ＧＮＤ）に接続されている。これにより、設定キースイッチ７１が接地される。
【００７０】
キー信号配線６５は、設定キースイッチ７１の操作状態がＯＮ状態であるか、あるいはＯＦＦ状態であるかを示すキー信号を、設定キースイッチ７１から主制御基板２０へ送るための配線であって、一方の端部が、設定キースイッチ７１のリード部に接続されており、他方の端部が、所定の増幅回路２７を介して、主制御基板２０のＣＰＵ２３のリセット端子（ＲＥＳＥＴ）に接続されている。
増幅回路２７は、電圧レベルがＨｉｇｈレベルのキー信号を所定の電圧値でＣＰＵ２３のリセット端子に入力するための回路である。
【００７１】
また、キー信号配線６５には、所定の電圧値を保持する電圧保持回路２８が接続されている。
電圧保持回路２８は、本発明の通電信号出力回路として動作するものであり、所定の抵抗値を有する抵抗２８ａの一端に所定の電圧値（Ｖｃｃ）を示す電圧を印加するとともに、その抵抗２８ａの他端をキー信号配線６５に接続した構成となっており、かしめピン５０が切断されたときに、ＣＰＵ２３のリセット端子に対して、電圧値がＨｉｇｈレベルの信号を電圧信号として継続的に入力するための回路である。
さらに、キー信号配線６５には、このキー信号配線６５によって伝送されるキー信号を副制御基板９１へ送るための状態信号配線６６が、主制御基板２０に実装された主基板第二コネクタ２６を介して接続されている。そして、この状態信号配線６６の他端が、副制御基板９１に実装された副基板コネクタ９４を介して副制御基板９１のＣＰＵ９２に接続されている。
【００７２】
このような構成を備えた不正検出装置Ｂは、次のような内容で動作する。
まず、かしめピン５０が切断されていない正常な状態における不正検出装置Ｂの動作について説明する。
電源装置１１０に備えられた電源スイッチ１１１（図２参照）がＯＦＦからＯＮに切り替えられることで電源が投入されると、電源装置１１０から主制御基板２０へ電源電力が供給される。また、副制御基板９１へも電源電力が供給される。
【００７３】
その電源装置１１０からの電源電力の供給を受けて、主制御基板２０では、ＣＰＵ２３の電源端子（Ｖｃｃ）から設定キースイッチ７１に対して、所定値（Ｖｃｃ）を示す電圧が印加される。これにより、設定キースイッチ７１からは、この操作状態がＯＮ状態であるか、あるいはＯＦＦ状態であるかを示すキー信号が出力され、キー信号配線６５を通して、主制御基板２０のＣＰＵ２３のリセット端子に入力される。
【００７４】
ここで、設定キースイッチ７１の操作状態がＯＦＦ状態であるときは、Ｌｏｗレベルの電圧値を示すキー信号が当該設定キースイッチ７１から出力され、ＣＰＵ２３のリセット端子に入力される。このとき、電圧保持回路２８では抵抗２８ａの一端において所定の電圧値（Ｖｃｃ）が保持されているが、設定キースイッチ７１が接地用配線６３ｃを通して接地されているため、抵抗２８ａの他端（キー信号配線６５に接続されている方の端部）の電圧レベルがＬｏｗレベルとなり、ＯＦＦ状態を示すキー信号がそのままＣＰＵ２３のリセット端子に入力される。
一方、設定キースイッチ７１の操作状態がＯＮ状態であるときは、Ｈｉｇｈレベルの電圧値を示すキー信号が当該設定キースイッチ７１から出力され、ＣＰＵ２３のリセット端子に入力される。
【００７５】
ＣＰＵ２３は、リセット端子に入力されたキー信号の電圧レベルを監視する。
ここで、Ｌｏｗレベルを示すキー信号がリセット端子に入力されているときは、ＣＰＵ２３は、通常実行する処理を実行する。この場合、ＣＰＵ２３は、かしめピン５０が切断されておらず、不正行為が発生していない正常な状態であるものと判断する。
一方、Ｈｉｇｈレベルを示すキー信号がリセット端子に入力されたときは、ＣＰＵ２３は、リセットがかかった状態となり、その後の処理が起動しないようになっている。
ただし、かしめピン５０が切断されておらず、不正行為が発生していない正常な状態において、リセット端子にＨｉｇｈレベルのキー信号が入力される場合とは、操作状態がＯＮ状態の設定キースイッチ７１から出力されたＨｉｇｈレベルのキー信号がリセット端子に入力された場合である。この場合は、所定の遊技状態の設定確率の変更が行われた後、その設定キースイッチ７１がＯＦＦ状態に切り換えられることで、当該設定キースイッチ７１からＬｏｗレベルのキー信号が出力され、このキー信号がリセット端子に入力されることで、ＣＰＵ２３は、リセット状態を解除して、その後の処理を起動可能とし、通常実行する処理を実行する。
【００７６】
また、設定キースイッチ７１から出力されたキー信号は、主制御基板２０のＣＰＵ２３に入力されるだけでなく、通電信号として、キー信号配線６５及び状態信号配線６６を介して副制御基板９１のＣＰＵ９２へ送られる。
副制御基板９１のＣＰＵ９２は、その通電信号を監視する。そして、Ｌｏｗレベルを示す通電信号を入力したときは、かしめピン５０が切断されておらず、不正行為が発生していない正常な状態であるものと判断する。
また、Ｈｉｇｈレベルを示す通電信号を入力した場合において、この通電信号の入力時間が所定時間以内であるとき、ＣＰＵ９２は、かしめピン５０が切断されておらず、不正行為が発生していない正常な状態であるものと判断する。
【００７７】
次に、かしめピン５０が切断された場合における不正検出装置Ｂの動作について説明する。
かしめピン５０が切断された場合には、このかしめピン５０に付設されている各配線６４，６３ｃ，６５も切断されるので、主制御基板２０と設定キースイッチ７１が電気的に分断される。これにより、主制御基板２０のＣＰＵ２３から設定キースイッチ７１へ電圧（Ｖｃｃ）が印加されず、設定キースイッチ７１からは、キー信号が出力されない。
【００７８】
また、キー信号配線６５が切断されることにより、電圧保持回路２８で保持されていた所定の電圧値（Ｖｃｃ）を示す電圧が、Ｈｉｇｈレベルを示す電圧信号としてＣＰＵ２３のリセット端子に入力される。
切断された各配線６４，６３ｃ，６５は、復元が困難なため、ＣＰＵ２３のリセット端子には、電圧保持回路２８からの電圧信号がその後も継続的に入力される。
ＣＰＵ２３のリセット端子にＨｉｇｈレベルを示す電圧信号が入力されたとき、このＣＰＵ２３ではリセットがかかった状態となり、その後の処理が起動しないことで、遊技ができない遊技不能状態となる。
【００７９】
このような処理を実行可能とする理由は、次の通りである。
ＣＰＵ２３のリセット端子にＨｉｇｈレベルの信号が入力される場合とは、上述したようにかしめピン５０が切断されて電圧保持回路２８からの電圧信号が入力される場合だけでなく、かしめピン５０が切断されていない場合において、設定キースイッチ７１の操作状態がＯＮ状態にされた場合も想定される。
設定キースイッチ７１の操作状態をＯＮ状態にする場合とは、所定の遊技状態の設定確率を変更する場合である。
ただし、この設定確率の変更の作業が終了すると、設定キースイッチ７１がＯＦＦ状態に切り換えられるので、この切り換えに伴ってＬｏｗレベルのキー信号がＣＰＵ２３のリセット端子に入力されてリセット状態が解除され、ＣＰＵ２３は、その後の処理を起動可能となり、通常実行する処理を実行する。
一方、かしめピン５０が切断された場合には、Ｈｉｇｈレベルの電圧信号がＣＰＵ２３のリセット端子に入力される。しかも、かしめピン５０の切断に伴って切断された各配線６４，６３ｃ，６５は復元が困難なことから、Ｈｉｇｈレベルの電圧信号がＣＰＵ２３のリセット端子にその後も継続的に入力され続ける。これにより、ＣＰＵ２３は、リセット状態が維持されるので、その後の処理を起動することができず、遊技不能状態がその後も継続する。
このような理由から、ＣＰＵ２３は、リセット端子に入力されている信号の電圧レベルを監視することで、かしめピン５０が切断されたときには、継続的に遊技不能状態とすることができる。
【００８０】
また、電圧保持回路２８で保持されていたＨｉｇｈレベルを示す電圧信号は、通電信号として、キー信号配線６５及び状態信号配線６６を通して副制御基板９１のＣＰＵ９２へ送られる。
副制御基板９１のＣＰＵ９２は、その通電信号を監視し、Ｈｉｇｈレベルを示す通電信号の入力が所定時間以上継続したときに、かしめピン５０が切断されたものと判断し、かしめピン５０が切断されたために遊技ができない遊技不能状態であることを示す文字等を液晶表示器８ｂに表示させることより、当該遊技不能状態を報知させることができる。
【００８１】
次に、この副制御基板９１の動作について、図２１を参照して説明する。
スロットマシン１の電源スイッチ１１１がＯＮにされると（Ｓ２０−Ｙｅｓ）、副制御基板９１（ＣＰＵ９２）は、主制御基板２０から送られてきた通電信号が、Ｈｉｇｈレベルを示す信号であるか否かを判断する（Ｓ２１）。
主制御基板２０から送られてきた通電信号がＨｉｇｈレベルを示す信号であるときは（Ｓ２１−Ｙｅｓ）、副制御基板９１は、かしめピン５０が切断されたために遊技が不能であることを示す文字等を液晶表示器８ｂに表示させることで報知する（Ｓ２２）。
一方、主制御基板２０から送られてきた通電信号がＨｉｇｈレベルを示す信号ではなく、Ｈｉｇｈレベルを示す通電信号であるときは（Ｓ２１−Ｎｏ）、副制御基板９１は、Ｓ２２の処理を実行しない。
その後、副制御基板９１は、通常実行する演出制御を実行する（Ｓ２３）。
【００８２】
なお、かしめピン５０が切断されて遊技不能状態へ移行した後に、遊技可能状態へ復帰させる場合は、切断されたかしめピン５０を新品のかしめピン５０と交換し、これを基板ケース１１に装着して開封不能に封止し、前扉１ａの背面に取り付けられたエラー解除ボタン１２０（図２参照）を押すことで、遊技可能状態に復帰させることができる。
【００８３】
以上説明した機能を実現することにより、本実施形態の不正検出装置Ｂは、かしめピン５０が切断されたことを確実に検出するとともに、その後の遊技が不能な遊技不能状態とすることができる。これにより、不正行為者に対する不正なメダルの払い出しを阻止できる。
また、かしめピン５０の切断が主制御基板２０で検出されるだけでなく副制御基板９１でも検出可能となっているので、この副制御基板９１による液晶表示器８ｂの制御により、かしめピン５０が切断されて遊技不能状態となったことを報知できる。
そして、この液晶表示器８ｂの報知内容を視認することにより、遊技場の店員は、その遊技不能状態が、遊技機の故障等によるものではなく、かしめピン５０の切断によるものであることを知得でき、適切な対応をとることができる。
【００８４】
さらに、かしめピン５０を切断して基板ケース１１を開封し、主制御基板２０に不正をして、再度、かしめピン５０を封印しているように取り付けようとしても、かしめピン５０に付設されていた各配線６４，６３ｃ，６５が修復不能に切断されているので、主制御基板２０と設定キースイッチ７１が電気的に分断された状態がその後も維持される。これにより、不正行為者による遊技不能状態の解除を不能とするとともに、店員が不正行為の発生を認識するまで、その遊技不能状態を維持させることができ、店員は、その不正行為の発生を早期かつ確実に知得することができる。
【００８５】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、上述した各実施形態では、かしめピンが、蓋ケースと本体ケースとを開封不能に封止するかしめピンとして説明したが、かしめピンは、蓋ケースと本体ケースとを封止するかしめピンに限るものではなく、主基板ケースをスロットマシンの筐体の内側面に固定するためのかしめピンであってもよい。
【００８６】
また、上述した各実施形態では、液晶表示器の表示制御を副制御基板が行うこととしたが、この副制御基板とは別に表示制御基板を設け、この表示制御基板に液晶表示器の表示制御を実行させるようにしてもよい。
さらに、上述した各実施形態では、かしめピンの内部に配線を設ける構成としたが、例えば、かしめピンの表面に配線を設ける構成としてもよい。
また、本発明の遊技機は、第一実施形態の不正検出装置と第二実施形態の不正検出装置とを任意に組み合わせたものを適用することができる。
【産業上の利用可能性】
【００８７】
本発明は、主制御基板を収容する基板ケースを開封不能にかしめるかしめピンを備えた遊技機に利用可能である。
【符号の説明】
【００８８】
１  スロットマシン（遊技機）
８ｂ  液晶表示器（報知手段）
１１  基板ケース
２０  主制御基板
２３  ＣＰＵ（中央演算処理装置）
２５ａ  電圧保持回路
２８  電圧保持回路（通電信号出力回路）
５０  かしめピン
６１ａ  電源用配線
６２  検出用配線
６５  キー信号配線
６６  状態信号配線
７１  設定キースイッチ
９１  副制御基板
１１０  電源装置
【図１】
2014217472.tif 000003
【図２】
2014217472.tif 000004
【図３】
2014217472.tif 000005
【図４】
2014217472.tif 000006
【図５】
2014217472.tif 000007
【図６】
2014217472.tif 000008
【図７】
2014217472.tif 000009
【図８】
2014217472.tif 000010
【図９】
2014217472.tif 000011
【図１０】
2014217472.tif 000012
【図１１】
2014217472.tif 000013
【図１２】
2014217472.tif 000014
【図１３】
2014217472.tif 000015
【図１４】
2014217472.tif 000016
【図１５】
2014217472.tif 000017
【図１６】
2014217472.tif 000018
【図１７】
2014217472.tif 000019
【図１８】
2014217472.tif 000020
【図１９】
2014217472.tif 000021
【図２０】
2014217472.tif 000022
【図２１】
2014217472.tif 000023